(57)【特許請求の範囲】
【請求項１】
釣針鉤素と道糸の３方向ヨリモドシとの間に用いられる結び器において、
対向する環状穴と外鉤腕のある鉤口を有する本体シートと、
前記本体シートに固定される固定端と、前記鉤口に隣向し、前記外鉤腕との間に幅が調整可能な通路を有する摺動端と、を有する板ばねと、
を含み、前記本体シートには凹溝が設けられ、前記板ばねの摺動端が前記凹溝に摺動可能に位置する結び器。
【請求項２】
前記板ばねは、曲がっているストリップ状の板ばねである請求項１に記載の結び器。
【請求項３】
前記本体シートに設けられ、それぞれ前記凹溝の正背面をカバーする対向する２つの保護板を有する保護カバーを更に含む請求項１又は請求項２に記載の結び器。
【請求項４】
対向する環状穴と外鉤腕のある鉤口を有する本体シートと、前記本体シートに固定される固定端と、前記鉤口に隣向し、前記外鉤腕との間に幅が調整可能な通路を有する摺動端と、を有する板ばねと、を含む結び器と、
それぞれ前記結び器の環状穴及び前記釣針に結ぶ対向する第１の端部及び第２の端部を有する鉤素本体と、釣針と、を含む釣針鉤素と、
を備え、前記本体シートには凹溝が設けられ、前記板ばねの摺動端が前記凹溝に摺動可能に位置する結び器付き釣針鉤素。
【請求項５】
前記板ばねは、曲がっているストリップ状の板ばねである請求項４に記載の結び器付き釣針鉤素。
【請求項６】
前記本体シートに設けられ、それぞれ前記凹溝の正背面をカバーする対向する２つの保護板を有する保護カバーを更に含む請求項４又は請求項５に記載の結び器付き釣針鉤素。
【発明の詳細な説明】
【技術分野】
【０００１】
本発明は、結び器及び釣針鉤素に関し、特に、道糸との結合や離脱を便利にする結び器及び結び器付き釣針鉤素に関する。
【背景技術】
【０００２】
釣りは、我々人間のレクリエーション活動の一つである。釣りをする場合、かかわる釣具がなければならず、その中、釣竿が最も主要な釣具の一つである。
【０００３】
図１を参照されたい。釣竿の釣糸については、道糸３００と、複数の釣針鉤素２００と、を含む。道糸３００には、複数の３方向ヨリモドシ４００が直列接続されているため、複数本の釣針鉤素２００と結合することができる。即ち、複数の３方向ヨリモドシ４００のそれぞれは、両端が順次に道糸３００に直向きに繋がれるための第１のヨリモドシ４１０と、一端が第１のヨリモドシ４１０に横向きに結合され、他端が釣針鉤素２００と結合するための第２のヨリモドシ４２０と、を含む。釣針鉤素２００は、鉤素本体２１０と、前記鉤素本体の一端に結ぶ釣針２２０と、を有する。従来の釣針鉤素２００は、鉤素本体２１０の他端が３方向ヨリモドシ４００の第２のヨリモドシ４２０に直接に結ばれる。
【発明の概要】
【発明が解決しようとする課題】
【０００４】
しかしながら、従来の釣針鉤素と３方向ヨリモドシとの結合構造には、利用上、下記のような欠点がある。一、魚が釣れた後、魚を釣糸から取り外さなければならないが、従来の釣針鉤素２００と３方向ヨリモドシ４００の第２のヨリモドシ４２０とが固定的に結ばれるため、その取り外し手順としては、魚を釣針鉤素２００の釣針２２０から取り外すことである。しかし、釣針２２０があごを有するため、魚を釣針から取り外すには時間が相当かかり、魚群が餌を取る貴重な時間において、魚を釣針から取り外す前記操作過程は、比較的に釣り人の魚釣りの貴重な時間を浪費する。二、釣られたばかりの魚がまだ生き生きとしてあがいている状態にあるため、魚を釣針２２０から取り外す操作の途中、釣り人の手は魚に接しなければならなく、あがいている魚の鋭い尾びれや口に刺されて傷を受けやすい。三、魚を釣針２２０から取り外す途中、しっかりと掴まないと、あがいている魚が海や水の中に飛び戻り、釣りの成果は無くして失敗に終わらせてしまう。
【課題を解決するための手段】
【０００５】
本発明は、便利且つ安全的に釣られた魚を道糸から取り外すための、結び器及び結び器付き釣針鉤素を提供する。
【０００６】
本発明の一態様によると、釣針鉤素と道糸の３方向ヨリモドシとの間に用いられる結び器において、対向する環状穴と外鉤腕のある鉤口を有する本体シートと、本体シートに固定される固定端と、鉤口に隣向し、外鉤腕との間に幅が調整可能な通路を有する摺動端と、を有する板ばねと、を含む結び器を提供する。
【０００７】
本発明の別の態様によると、対向する環状穴と外鉤腕のある鉤口を有する本体シートと、本体シートに固定される固定端と、鉤口に隣向し、外鉤腕との間に幅が調整可能な通路を有する摺動端と、を有する板ばねと、を含む結び器と、それぞれ結び器の環状穴及び釣針に結ぶ対向する第１の端部及び第２の端部を有する鉤素本体と、釣針と、を含む釣針鉤素と、を備える結び器付き釣針鉤素を提供する。
【０００８】
本発明の一実施例によると、本体シートには凹溝が設けられ、板ばねの摺動端が前記凹溝に摺動可能に位置する。
【０００９】
本発明の一実施例によると、板ばねは、曲がっているストリップ状の板ばねである。
【００１０】
本発明の一実施例によると、本体シートに設けられ、それぞれ前記凹溝の正背面をカバーする対向する２つの保護板を有する保護カバーを更に含む。
【００１１】
本発明に係る結び器及び結び器付き釣針鉤素によると、その釣針鉤素は、結び器によって道糸の３方向ヨリモドシに結合され、結び器の板ばねの摺動端の簡単な内方押圧操作によって結び器と３方向ヨリモドシとの結合又は離脱を達することができる。
【図面の簡単な説明】
【００１２】
【図１】従来の釣針鉤素とその道糸の３方向ヨリモドシとの結びを示す模式図である。
【図２】本発明の一実施形態による結び器付き釣針鉤素を示す斜視模式図である。
【図３】図２に示す結び器付き釣針鉤素の結び器を示す斜視図である。
【図４】図３に示す結び器を示す分解図である。
【図５】図３に示す結び器を示す使用模式図（その動作状態をはっきりと表すために、保護カバーは図示せず）である。
【発明を実施するための形態】
【００１３】
本発明をより明確で詳しくするように、実施例を挙げて図面に合わせて、本発明の構造及びその技術特徴を下記のように詳しく記述する。
【００１４】
図２〜図５を参照されたい。本発明の一実施形態による結び器付き釣針鉤素は、結び器１００と、釣針鉤素２００と、を備える。
【００１５】
結び器１００は、釣針鉤素２００と道糸３００の３方向ヨリモドシ４００との間に用いられる。道糸３００及び３方向ヨリモドシ４００の構造は、従来のものと同じく、即ち、３方向ヨリモドシ４００が、両端が道糸３００に順次に直向きに繋がれた第１のヨリモドシ４１０と、第１の端環４２１が第１のヨリモドシ４１０に横向きに結合され、第２の端環４２２が結び器１００に結合された第２のヨリモドシ４２０と、を含む。
【００１６】
結び器１００は、本体シート１１０と、板ばね１２０と、保護カバー１３０と、を含む。
【００１７】
本体シートは、対向する環状穴１１１と鉤口１１２を有し、前記鉤口が外鉤腕１１３を有し、本体シートには凹溝１１５が設けられる。板ばね１２０は、固定端１２１及び摺動端１２２を有する曲がっているストリップ状の板ばねである。固定端は、本体シート１１０に固定されるが、摺動端１２２は、本体シート１１０の凹溝１１５内で摺動可能に鉤口１１２に隣向し、本体シート１１０の鉤口１１２の外鉤腕１１３との間に通路１１４がある。板ばね１２０の摺動端１２２が鉤口１１２の外鉤腕１１３に対して摺動できるため、前記摺動端１２２と外鉤腕１１３との間の通路１１４は、幅が調整可能な通路である。
【００１８】
保護カバー１３０は、本体シート１１０に設けられ、それぞれ本体シート１１０の凹溝１１５の正背面をカバーする対向する２つの保護板１３１を有する。
【００１９】
釣針鉤素２００は、鉤素本体２１０と、釣針２２０と、を有する。鉤素本体２１０は、それぞれ結び器１００の環状穴１１１と釣針２２０に結ばれた対向する第１の端部２１１と第２の端部２１２を有する。結び器１００の鉤口１１２は、更に３方向ヨリモドシ４００の第２のヨリモドシ４２０と結合する。即ち、釣針鉤素２００は、結び器１００によって道糸３００の３方向ヨリモドシ４００と結合する。
【００２０】
結び器１００と３方向ヨリモドシ４００との結合については、３方向ヨリモドシ４００の第２のヨリモドシ４２０の第２の端環４２２が通路１１４に沿って本体シート１１０の鉤口１１２の中に置かれて結合するように、結び器１００の板ばね１２０の摺動端１２２を外鉤腕１１３の逆方向へ押圧して引き動かして（即ち、摺動端を内方へ押圧する）、通路１１４の幅を広く（図５に示す仮想線のように）してもよい。摺動端１２２から付与する圧力が解放されると、前記摺動端１２２は、その弾力によって原状に回復して、通路１１４の幅が元の狭い状態に回復し（図５に示す実線のように）、これにより、第２のヨリモドシ４２０の第２の端環４２２の通路１１４からの離脱を防止する。そして、保護カバー１３０の２つの保護板１３１は、凹溝１１５内に位置する板ばね１２０の摺動端１２２の本体シート１１０の正面又は背面への曲折や変形を防止でき、前記摺動端１２２と本体シート１１０の外鉤腕１１３との間の通路１１４が意外に大きくなることを避け、第２のヨリモドシ４２０の第２の端環４２２の通路１１４からの離脱を避けることができる。
【００２１】
釣針鉤素２００及びその結び器１００と３方向ヨリモドシ４００との離脱については、上記のように、３方向ヨリモドシ４００の第２のヨリモドシ４２０の第２の端環４２２を通路１１４に沿って本体シート１１０の鉤口１１２から取り外すことができるように、結び器１００の板ばね１２０の摺動端１２２を内方へ押圧して、通路１１４の幅を広くする。
【００２２】
従って、本発明の一実施形態に係る結び器及び結び器付き釣針鉤素によると、魚が釣れた後、釣り人は、結び器１００の板ばね１２０の摺動端１２２を内方へ押圧して、結び器１００及びその釣針鉤素２００を３方向ヨリモドシ４００の第２のヨリモドシ４２０から取り外して携帯型冷蔵庫に置いてから、３方向ヨリモドシ４００に別の結び器１００及び釣針鉤素２００を結合させればよい。第２のヨリモドシ４２０から結び器１００及びその釣針鉤素２００を取り外す上記操作過程において、釣り人の手が釣られた魚に接しなくでもよく、魚に刺されることが避けられ、また、しっかりと掴まないことで魚が海又は水の中に飛び戻ることも避けられる。且つ上記操作過程は、すごく簡単で便利なので、魚釣りでの貴重な時間を有効に使用することができる。また、冷蔵庫に置かれた魚が気息奄々となり、且つ再び他の魚がかかるまでの期間、釣り人は、ゆっくりと安全にこの前の釣られた魚を釣針２２０から取り外し、魚を取り外された結び器１００及びその釣針鉤素２００が再び使用されることができる。
【００２３】
以上に述べたのは、本発明の実施例のみであり、本発明にとっては説明的なものだけであり、限定的なものではない。当業者であれば、本発明の精神と範囲から逸脱しない限り、各種の変更や修正を加えることができる。従って、本発明の保護範囲は、特許請求の範囲で指定した内容を基準とするものである。
【符号の説明】
【００２４】
１００  結び器
１１０  本体シート
１１１  環状穴
１１２  鉤口
１１３  外鉤腕
１１４  通路
１１５  凹溝
１２０  板ばね
１２１  固定端
１２２  摺動端
１３０  保護カバー
１３１  保護板
２００  釣針鉤素
２１０  鉤素本体
２１１  第１の端部
２１２  第２の端部
２２０  釣針
３００  道糸
４００  ３方向ヨリモドシ
４１０  第１のヨリモドシ
４２０  第２のヨリモドシ
４２１  第１の端環
４２２  第２の端環
【図１】
0006051263.tif 000002
【図２】
0006051263.tif 000003
【図３】
0006051263.tif 000004
【図４】
0006051263.tif 000005
【図５】
0006051263.tif 000006